(57)【要約】【課題】制御アダプタなどを介することなくディジタルカメラに無線通信端末を接続することにより従来に比較しシステム構成をシンプルにでき、しかも画像送信操作中に可能なかぎり着信に対応することができるディジタルカメラの無線通信方式を提供する。【解決手段】撮影した画像データをメモリ部に蓄積し、前記画像データを出力する機能を備えたディジタルカメラにおいて、無線通信端末と接続するインターフェース部と、該インターフェース部を介して接続された前記無線通信端末の操作により前記メモリ部に蓄積している画像データを前記無線通信端末に出力制御する制御部と、を備え、該制御部は、前記画像データを送信中に前記無線通信端末に着信があると前記無線通信端末からの制御により前記画像データの送信を中断することを特徴とする。【選択図】　　　　図１
2004088764.tif 000002
【特許請求の範囲】
【請求項１】
撮影した画像データをメモリ部に蓄積し、前記画像データを出力する機能を備えたディジタルカメラにおいて、
無線通信端末と接続するインターフェース部と、
該インターフェース部を介して接続された前記無線通信端末の操作により前記メモリ部に蓄積している画像データを前記無線通信端末に出力制御する制御部と、を備え、
該制御部は、前記画像データを送信中に前記無線通信端末に着信があると前記無線通信端末からの制御により前記画像データの送信を中断することを特徴とするディジタルカメラ。
【発明の詳細な説明】
【０００１】
【発明の属する技術分野】
本発明は、ＰＨＳ通信システム等を利用してディジタルカメラの画像データを商用ネットワークなどに送信する無線通信端末に用いるディジタルカメラに関する。
【０００２】
【従来の技術】
ＰＨＳに代表される無線回線を利用したディジタルデータの通信システムが実用に供されている。従来、ディジタルカメラの画像データを送信する場合、ディジタルカメラ本体はＰＨＳ端末とのインタフェースをとる簡易パソコンを介してＰＨＳ端末に接続され、ＰＨＳ端末を発信状態にした状態で、画像データを送信するようにしている。また、ディジタルカメラ本体とＰＨＳ端末との間にハンディトランスミッタを挿入し、ディジタルカメラ側で送信を制御して上記と同様、ＰＨＳ端末を発信状態にして所定のところに画像データを伝送している。
【０００３】
【発明が解決しようとする課題】
このため、他の端末から当該ＰＨＳ端末に着信させようとしても、画像データ送信中はビジィ状態であり、当該ＰＨＳ端末は受信データや着呼を受けることができない。また、ディジタルカメラ本体とＰＨＳ端末の間にデータ送信を制御するための簡易パソコンなどの制御アダプタを挿入するものであるので、送信側のシステムを構成する装置数が３個となって通信システムが複雑になっていた。本発明の目的は、制御アダプタなどを介することなくディジタルカメラに無線通信端末を接続することにより従来に比較しシステム構成をシンプルにでき、しかも発信しない状態で無線通信端末に画像データを送り、一端、無線通信端末のメモリ部に蓄積した後に発信して送信することにより、画像送信操作中に可能なかぎり着信に対応することができる無線通信端末を提供することにある。
【０００４】
【課題を解決するための手段】
前記目的を達成するために本発明によるディジタルカメラは、撮影した画像データをメモリ部に蓄積し、前記画像データを出力する機能を備えたディジタルカメラにおいて、無線通信端末と接続するインターフェース部と、該インターフェース部を介して接続された前記無線通信端末の操作により前記メモリ部に蓄積している画像データを前記無線通信端末に出力制御する制御部と、を備え、該制御部は、前記画像データを送信中に前記無線通信端末に着信があると前記無線通信端末からの制御により前記画像データの送信を中断するように構成されている。上記構成において、前記ディジタルカメラに蓄積した画像データを送信する場合、前記無線通信端末のキーボタン操作により送信すべき画像データを前記ディジタルカメラの液晶モニタに表示するように構成されている。さらに前記無線通信端末のメモリ部は、画像データと無線基地局から送られてくる文字データなどを蓄積する共有メモリ部であり、前記文字データ，画像データの蓄積により一杯の場合には、その旨の警告を出力するように構成されている。
【０００５】
【発明の実施の形態】
以下、図面を参照して本発明の実施の形態を詳しく説明する。図１は、本発明による無線通信端末装置、該無線通信端末装置に用いる無線通信端末およびディジタルカメラの実施の形態を説明するための図である。
【０００６】
画像送信する場合、ディジタルカメラ１はケーブルを通して無線通信端末２に接続される。ディジタルカメラ１の画像データはＲＳ−２３２Ｃで無線通信端末のメモリ部に送られる。無線通信端末２は目的の商用ネットワークなどに蓄積した画像データを送信するため、発信することによりＰＨＳの基地局４と通信可能状態になり、２９．２Ｋｂｐｓの速度で画像データが送られる。
基地局４からＩＳＤＮ回線５を介し目的のネットワークなどに送られる。
【０００７】
図２は、図１のディジタルカメラと無線通信端末の回路の実施の形態を示すブロック図である。図示しないレンズを介してＣＣＤ１０に結像された画像は、Ａ／Ｄ変換器１１でディジタルデータに変換され、信号処理部１３を介して液晶モニタ１２に表示される。ＣＰＵ１５はキー操作部１６からのシャッタ動作信号により、その画像を信号処理部１３で圧縮処理などを行って、メモリ部１４に蓄積する。メモリ部１４はＰＣカード等が用いられ、解像度に応じ複数枚（例えば１００枚）の画像データが記憶可能である。
【０００８】
無線通信端末２は、ＰＨＳ電話機能とデータ送受信機能を有し、メモリ部１８は着信により送られてきた文字データとディジタルカメラ１からの画像データを蓄積できるようになっている。例えば、２００Ｋバイトの容量を有しており、この場合には、画像データ１枚に付き６４Ｋバイト必要であるので、画像データ３枚分と、着信があった文字データ程度は蓄積可能である。ＣＰＵ１７はキー操作部２０により発呼動作がなされた場合、プロトコルＣＰＵ１９，ＲＦ部２１を介してアンテナ２３によりそのサービスエリアの基地局４にアクセスする。電話番号が送られ、相手端末が呼び出され通話を行うことができる。
【０００９】
着信があった場合、スピーカ等が鳴動して呼び出される。バイブレーションの振動により呼び出すこともできる。文字データが送られてきた場合にはＣＰＵ１７は、文字データをメモリ部１８に蓄積し、液晶モニタ２２に表示する。このときユーザに知らせるための着信表示がなされる。ディジタルカメラ１より画像データを送信する場合、その操作は無線通信端末２側のキー操作部２０により行われ、ＣＰＵ１７がディジタルカメラ１のＣＰＵ１５に対し要求コマンドを送出することにより、ディジタルカメラ１を直接制御できる。ディジタルカメラ１の液晶モニタ１２に画像を表示させて送信することができる。
【００１０】
図３は、無線通信端末の外観の実施の形態を示す正面図である。上部フリップ２Ａと下部フリップ２Ｂは薄肉略長方形状であり、２つ折りで重ねることができ、待ち受け状態のときには畳んでおくことができる。上部フリップ２Ａは、左上縁部にアンテナ３２を有し、上端に着信ランプ２９ａと呼出音スピーカ２９ｂ，前面上部に受話部スピーカ３３が設けられている。中央部にはモデム等より受信した各種文字情報やキー等の操作による送信情報をはじめとして各種情報を表示する表示部３４が設けられている。
【００１１】
一方、下部フリップ２Ｂには、左下部に電源スイッチ３０，左上部に発呼信号を送信する通話スイッチ２５ａ，オンフックスイッチ２５ｂにより構成される通話キー２５，その下にテンキー２６，さらにその横に外部端末／子機切替キーをはじめとして、その他の諸機能を実現するためのキーからなるファンクションキー２７が配置されている。また、ファンクションキー２７とともに音量調整・機能選択キー２７Ｆが設けられている。
【００１２】
下部フリップ２Ｂは鞘状に取り外し可能である。下部フリップ２Ｂを取り外すと、内部に設けられているＰＣカードのコネクタその他の外部インタフェースが露出する。ディジタルカメラ１に３ピン端子で接続されるケーブル３６の他端は、ＰＣカードスロット３５が接続されており、ＰＣカードスロット３５を上記ＰＣカードのコネクタに装着することにより無線通信端末２とディジタルカメラ１とが接続される。
【００１３】
図４は、ディジタルカメラと無線通信端末との間の画像データ送受信のシーケンスを説明するための図である。以下、図４の画像送信シーケンスに従って図２の各回路部の動作を説明する。キー操作部２０のファンクションキー２７により画像データ送信のモードが選択されると、ＣＰＵ１７はディジタルカメラ１のＣＰＵ１５に対し、イニシャライズ要求コマンドを送信する。シリアルスピード９６００ｂｐｓで送られる。ディジタルカメラ１側のＣＰＵ１５は、カメラ側ステータスコマンドを送信する。ステータスコマンドとしてスタンバイＯＫ，記録なし，カード無し，ビジーのいずれかが送られる。
【００１４】
ＣＰＵ１７はスタンバイＯＫ以外を受信した場合およびタイムアウトした場合には終了する。このときのタイムアウト時間は例えば５００ミリ秒（固定値）である。つぎにＣＰＵ１７はボーレート要求コマンドを送信する。ボーレートとしては９６００，１９２００，３８４００，５７６００ｂｐｓである。ＣＰＵ１５は、ボーレート要求コマンドに対し、ボーレート確認コマンドを送出する。ＣＰＵ１７は対応する確認ボーレート以外を受信した場合およびタイムアウトした場合には終了する。
【００１５】
ここで、スピードリクエスト設定をする場合、ＣＰＵ１７はボーレート変更コマンドを送信する。ＣＰＵ１５はこの変更コマンドに対しボーレート変更確認コマンドを送信する。ＣＰＵ１７はボーレート変更確認コマンドを受信すると、つぎにピクチャーデータ要求コマンドを送信する。引き続いて駒番号（複数の駒番号も可能）を４Ｂｙｔｅの数値データで送る。送った駒番号の画像を確認したい場合には表示のためのコマンドを送ることにより液晶モニタ１２に表示させることが可能である。ＣＰＵ１５は、上記ピクチャーデータ要求コマンドと駒番号を受信すると、ピクチャーデータ確認コマンドとピクチャーヘッダデータ（３２Ｂｙｔｅのバイナリデータを１ブロックとする）を送信する。ＣＰＵ１７は、ピクチャーデータ確認コマンドを受けてプレビュー確認コマンド以外を受信した場合およびタイムアウトした場合にはＥＮＤコマンド送信に移行する。
【００１６】
また、ピクチャーヘッダデータの受信に際し、タイムアウトした場合、３回まではデータ受信応答でＮＡＫを送信し再試行する。４回タイムアウトした場合、ＥＮＤコマンド送信に移行する。ＣＰＵ１７は、ピクチャーデータ確認コマンドとピクチャーヘッダデータを受信した結果、データ受信可能となった場合には、データ受信応答コマンドを送信する。ＣＰＵ１５はデータ受信応答コマンドを受信すると、ピクチャーデータ送信（２５６Ｂｙｔｅのデータブロックを送信）を開始する。ＣＰＵ１７はピクチャーヘッダデータ受信と同様、タイムアウトした場合、３回まではデータ受信応答でＮＡＫを送信し再試行する。４回タイムアウトした場合、ＥＮＤコマンド送信に移行する。なお、受信が成功した場合にはＡＣＫを送信する。
【００１７】
ＣＰＵ１７は、ピクャーデータを受信した場合には、データ受信応答コマンドを送出し、ＣＰＵ１５がこのコマンドを受信するとピクチャーデータ送信を繰り返すこととなる。なお、データビットはスタートビット１ビット，データビット８ビット，ストップビット１ビットで構成され、パリティビット無しである。このようにしてピクチャーデータ送信を繰り返し、画像データの受信を終了すると、ＣＰＵ１７は、ＥＮＤコマンドをＣＰＵ１５に送信して画像送信を終了する。
【００１８】
この後、ＣＰＵ１７は、プロトコルＣＰＵ１９，ＲＦ部２１を介して目的とする商用ネットワークに発信し、メモリ部１８に蓄積された画像データを送信する。上記ディジタルカメラ１から無線通信端末２に画像データを送信中に、着呼があった場合、ユーザはその着呼を無視してそのまま画像データの送信を続行することもできる。また、画像データの送信を中断して着呼に応答することも可能である。なお、ディジタルカメラ１に蓄積した画像データを送信する前に、無線通信端末２のキー操作部２０を操作することにより送信すべき画像データをディジタルカメラ１の液晶モニタ１２に表示させることができる。
【００１９】
また、画像データ送信に際し、メモリ部１８が、文字データ等の蓄積により一杯になっている場合や送信途中で一杯になった場合には、その旨の警告が液晶モニタ１２に表示される。無線通信端末２に搭載するメモリ部１８は価格，大きさの点からあまり大きな容量のメモリを用いることはできない。上述したように容量２００Ｋバイトを用いた場合には文字データ以外に画像データは３枚程度である。しかしながら、多くの文字データを受信し、かつ画像データが一部、ホスト局に送られていない場合などには、メモリ部１８の残り容量は少ないので、途中で一杯になる可能性があるからである。
【００２０】
【発明の効果】
以上、説明したように本発明によれば、ディジタルカメラと無線通信端末の間に簡易パソコンなどを挿入することなく、無線通信端末側からディジタルカメラを直接制御して画像データを無線通信端末のメモリ部に一旦蓄積した後に、発信して所定のネットワークなどに送信でき、従来の無線通信端末に比較し簡単な端末装置で画像送信が可能になる。また、ディジタルカメラから無線通信端末のメモリ部に蓄積中においては、着信があった場合、画像送信を中断して着信に応じたり、画像送信をそのまま続行したりする選択でき、従来の無線通信端末に比較しユーザにとって使い勝手が良いという効果がある。
【図面の簡単な説明】
【図１】本発明による無線通信端末装置、該無線通信端末装置に用いる無線通信端末およびディジタルカメラの実施の形態を説明するための図である。
【図２】図１のディジタルカメラと無線通信端末の回路の実施の形態を示すブロック図である。
【図３】図１の無線通信端末の外観の実施の形態を示す正面図である。
【図４】ディジタルカメラと無線通信端末との間の画像データ送受信のシーケンスを説明するための図である。
【符号の説明】
１…ディジタルカメラ
２…無線通信端末
３…アンテナ
４…基地局
５…ＩＳＤＮ回線
６…パソコン
１０…ＣＣＤ
１１…Ａ／Ｄ変換器
１２，２２…液晶モニタ
１３…信号処理部
１４，１８…メモリ部
１５，１７…ＣＰＵ
１６，２０…キー操作部
１９…プロトコルＣＰＵ
２１…ＲＦ部
２６…テンキー
２７…ファンクションキー
２８…マイク
３０…電源スイッチ
３２…アンテナ
３３…受話スピーカ
３４…表示部（液晶モニタ）
３５…ＰＣカードスロット
３６…ケーブル
【図１】
2004088764.tif 000003
【図２】
2004088764.tif 000004
【図３】
2004088764.tif 000005
【図４】
2004088764.tif 000006